(57)【要約】【課題】  防災装置の邪魔にならないようにその筐体に監視カメラを一体化する。【解決手段】  消火装置は、筐体内に走査式の赤外線リニアセンサまたは放水ノズル等を内蔵し、必要に応じて回動部によって方向制御するものであって、筐体が壁面に埋込み設置されるとともに、筐体の一面に露出する監視カメラが設けられている。そのため、放水ノズル等を走査させることで、アトリウム等の大空間に対して壁面に埋込み設置して、その大空間を防護範囲とすることができ、同様に、筐体に監視カメラを設ければ、空間内を監視しやすく、装置の設置状態が美観に優れている。【選択図】  図１
2006305173.tif 000002
【特許請求の範囲】
【請求項１】
筐体内に走査式の赤外線センサまたは放水ノズルのいずれかあるいは組合せを内蔵し、必要に応じて回動部によって方向制御する防災装置であって、
該筐体が壁面に埋込み設置されるとともに、該筐体の一面に露出する監視カメラが設けられていることを特徴とする防災装置。
【請求項２】
監視カメラが設けられる筐体の一面が、底面である請求項１の火災感知器。
【請求項３】
筐体内に走査式の赤外線センサまたは放水ノズルのいずれかあるいは組合せを内蔵し、必要に応じて回動部によって方向制御する防災装置であって、
該筐体が壁面に設置されるとともに、前記回動部によって一体的に方向制御される監視カメラが設けられていることを特徴とする防災装置。
【発明の詳細な説明】
【技術分野】
【０００１】
この発明は、筐体内に走査式の赤外線センサまたは放水ノズルのいずれかあるいは組合せを内蔵する防災装置であって、さらに監視カメラが設けられている防災装置に関する。
【背景技術】
【０００２】
防災装置である消火装置では、噴射ノズルおよび監視カメラを備え、人間の立入不能な場所における火災を確実に消火しようとするものが開示されている（例えば、特許文献１を参照）。
【０００３】
この消火装置では、天井面に配設された金属パイプに本体が取り付けられ、その下方に、首振り可能な噴射ノズルおよび監視カメラが突出して設けられている。
【特許文献１】特開２０００−１０７３１７号公報
【発明の開示】
【発明が解決しようとする課題】
【０００４】
このような消火装置では、本体が完全に露出して設けられているとともに、噴射ノズルや監視カメラがさらに本体から突出して設けられており、突出部として防護空間において物が衝突する可能性があって邪魔になるのみでなく、美観として大きな問題がある。
【０００５】
この発明では、筐体内に走査型のセンサあるいは放水ノズルを内蔵し、壁面に設置される防災装置において、防災装置の邪魔にならないようにその筐体に監視カメラを一体化することを目的としている。
【課題を解決するための手段】
【０００６】
この発明の請求項１に係る防災装置は、筐体内に走査式の赤外線センサまたは放水ノズルのいずれかあるいは組合せを内蔵し、必要に応じて回動部によって方向制御する防災装置であって、該筐体が壁面に埋込み設置されるとともに、該筐体の一面に露出する監視カメラが設けられていることを特徴とするものである。
【０００７】
そして、この発明の請求項２に係る防災装置は、監視カメラが設けられる筐体の一面が、底面であることを特徴とするものである。
【０００８】
また、この発明の請求項３に係る防災装置は、筐体内に走査式の赤外線センサまたは放水ノズルのいずれかあるいは組合せを内蔵し、必要に応じて回動部によって方向制御する防災装置であって、該筐体が壁面に設置されるとともに、前記回動部によって一体的に方向制御される監視カメラが設けられていることを特徴とするものである。
【発明の効果】
【０００９】
請求項１に係る防災装置では、放水ノズル等を走査させることで、アトリウム等の大空間に対して壁面に埋込み設置して、その大空間を防護範囲とすることができ、同様に、筐体に監視カメラを設ければ、空間内を監視しやすく、装置の設置状態が美観に優れているとともに、設置も簡素化される。
【００１０】
そして、請求項２に係る防災装置は、筐体が壁面から若干露出され、その底面に監視カメラが設けられるので、放水ノズル等の操作や放水動作の邪魔とならず、また空間内を監視しやすい。
【００１１】
また、請求項３に係る防災装置は、走査式の放水ノズル等のための回動部を利用して監視カメラの向きを変えることができ、固定式の監視カメラを用いることができる。
【発明を実施するための最良の形態】
【００１２】
実施形態１
図１は、本発明の一実施形態である防災装置の正面側からの外観図、図２は、その底面図、図３および図４は、防災装置の筐体内の機器の配置を示す構成図、図５は、その防災装置を用いる防災システムの系統図である。
【００１３】
この実施形態１の防災装置である消火装置１０は、図１および図２に示されるように、略直方体の正面に、中央に尾根が走る山形になるよう左右に傾斜面を有する筐体１１が形成されていて、その上下面は略五角形となっている。
【００１４】
筐体１１は、通常壁面Hに埋め込み設置されるようになっており、正面の山形部分のみが壁面から突出するように設置される。この筐体１１の内部には、放水ノズル１２と、赤外線リニアセンサ１３と、高精度な炎検知器１４とが設けられていて、筐体１１の正面の断面略ヘ字状の表板１５の背面に配置されている。そして、筐体１１平面視山形の略三角形部分の中央に軸心Pを有するモータ１６を用いた回動部１７が内蔵されていて、その軸心Pを中心に表板１５が裏返るように回動することで、放水ノズル１２、炎検知器１４および赤外線リニアセンサ１３が順次表に現れるようになっている。そして、この回動を制御することによって、放水ノズル１２を火点に向ける放水制御を行ったり、赤外線リニアセンサ１３の走査を制御したりすることができる。
【００１５】
また、筐体１１の底面のうちの略三角形状の露出面１８には、監視カメラ１９が設置されていて、消火装置１０と一体化されている。
【００１６】
この筐体１１の形状は、回動部１７によって放水ノズル１２等を防護空間に対して約１８０度に放水等可能とするために、回動部１７の軸心Ｐが壁面Ｈよりも前方になくてはならない。そのため、筐体１１の底面において略三角形状の露出面１８は必ず形成されることとなる。
【００１７】
そして、筐体１１は、アトリウム等の大空間に対して、火点探査および消火活動が可能なように、大空間の所定の高所に設けられ、その底面の露出面１８に設けられた監視カメラ１９は、監視空間を広く見渡せる位置となっている。
【００１８】
以下、上記のような消火装置１０を用いた防災システムおよびその動作につき、図５に基づいて説明する。
【００１９】
監視空間Ａは、建物のアトリウムのような大空間であって、例えばその大空間の対向する壁面に、２台の消火装置１０Ａ、１０Ｂが対向するように設置される。この監視空間Ａには、消火装置１０Ａ、１０Ｂ以外に複数の火災感知器３１が設けられ、常時は複数の火災感知器３１が監視空間Ａの火災を監視している。
【００２０】
各消火装置１０Ａ、１０Ｂには、中継器３２Ａ、３２Ｂを介して現地操作盤３３Ａ、３３Ｂが設けられていて、現地での消火装置１０Ａ、１０Ｂの制御が可能となっている。また、各消火装置１０Ａ、１０Ｂの放水ノズル１２Ａ、１２Ｂには消火水を供給するための配管が接続され、その配管には現地操作盤３３Ａ、３３Ｂを介して開閉制御される制御弁装置３５Ａ、３５Ｂが設けられている。この制御弁装置３５Ａ、３５Ｂの一次側は、詳細に示さないが、消火ポンプ３６や図示しない貯水槽等による水源に接続されている。
【００２１】
また、監視空間Ａとは別に、建物には防災センタＳが設けられていて、建物全体の監視制御が行われるようになっている。
【００２２】
中央操作盤４１は、各現地操作盤３３Ａ、３３Ｂに接続され、同様に防災センタＳから消火装置１０Ａ、１０Ｂの制御が可能となっている。
【００２３】
火災受信機４２は、監視空間Ａの複数の火災感知器３１を含めて建物全体に設置されている火災感知器から火災信号を受信するものであり、いわゆる自動火災報知設備としての火災警報動作等を行う。
【００２４】
メインコントローラ４３は、モニタ４４およびリモートコントローラ４５を備え、各消火装置１０Ａ、１０Ｂの監視カメラ１９Ａ、１９Ｂの画像データを受信処理して、モニタ４４等に映出させる。そして、モニタ４４に映出される画像について、カメラの切り換えや方向制御についてリモートコントローラ４５によって入力することができる。
【００２５】
このような防災システムにおいて、常時は防災センタＳにおいて、監視員がモニタ４４に監視カメラ１９Ａ、１９Ｂの画像を映出してアトリウム等の監視空間Ａにおいて、火災を始めその他異常事態の発生を監視している。そして、火災以外の例えば事故等が発生し怪我人が出ているような状況では、すぐに現地へ掛けつけて対処する。
【００２６】
火災が発生し、監視員が現場に掛けつけて確認できた場合には、現地操作盤３３Ａ、３３Ｂまたは中央操作盤４１を操作して、消火装置１０Ａ、１０Ｂを起動させることができる。起動された消火装置１０Ａ、１０Ｂは、回動部１７を回動制御して、まず赤外線リニアセンサ１３を走査制御して、火点の方向を判別する。つぎにその方向に炎検知器１４を向けて炎であるかどうかを確認する。その方向に炎があるときに放水ノズル１２をその方向に向けて放水を開始する。
【００２７】
なお、放水の開始に当たり、両消火装置１０Ａ、１０Ｂの双方から放水するには大量の消火水が必要となり、消火ポンプ３６の負荷が大きいことから、火点に近い方等を中央操作盤４１で判別し、一つを選択していずれかの制御弁装置３５Ａ、３５Ｂに開放制御を行い、一方からの消火水の放水を行う。
【００２８】
このとき、消火装置１０Ａ、１０Ｂには、監視カメラ１９Ａ、１９Ｂが設けられているので、放水が有効にされているかどうかを防災センタＳのモニタ４４等で確認することができる。そして、放水がずれている場合には、現地操作盤３３Ａ、３３Ｂまたは中央操作盤４１を操作して、放水の方向を修正し、消火が完了した場合には、停止操作をして、システム全体を復旧させる。
【００２９】
また、火災が発生し、監視員が確認できなくても、監視空間Ａには複数の火災感知器３１が設けられていて、煙や赤外線を検出して火災信号を発生し、その火災信号を防災センタＳの火災受信機４２が受信して、火災受信機４２から移報出力によって中央操作盤に起動信号が入り、消火装置１０Ａ、１０Ｂが自動的に起動される。以下、上記と同様に、火点を探知して放水を行う。
【００３０】
このような消火装置１０における赤外線リニアセンサ１３の走査制御、炎検知器１４の炎確認および放水ノズル１２からの放水動作に対して、監視カメラ１９が筐体１１の底面の露出面１８に設けられていることから、邪魔にはならず、火災監視や消火活動の動作を確実に行うことができる。また、監視カメラ１９も監視エリアの画像を広く撮ることができる。
【００３１】
なお、上記実施の形態１では、監視カメラ１９を消火装置１０の筐体１１底面に設けたが、これに限らず、例えば、筐体１１前面の傾斜面や山形の頂部に設けてもよい。また、監視カメラ１９を表板１５に設けてもよく、監視カメラ１９自体に回動機能がなくても、回動部１７を用いることによって監視カメラ１９の向きを変えることができる。さらに、監視カメラ１９を放水ノズル１２等と同様に筐体１１内に設けて、回動部１７を利用して必要な場合のみに露出させて画像を撮るようにしてもよい。このとき、上記実施の形態１のように、消火装置１０が２台対向して設けられる場合に、一方で消火活動しながら、他方で消火状況を確認するようなことができ、通常時は、筐体１０内にすべて収められているので、美観に優れたものとなる。
【００３２】
このように、実施の形態１における消火装置１０は、筐体１１内に走査式の赤外線リニアセンサ１３または放水ノズル１２等を内蔵し、必要に応じて回動部１７によって方向制御するものであって、筐体１１が壁面Ｈに埋込み設置されるとともに、筐体１１の一面に露出する監視カメラ１９が設けられている。
【００３３】
そのため、放水ノズル１２等を走査させることで、アトリウム等の大空間に対して壁面に埋込み設置して、その大空間を防護範囲とすることができ、同様に、筐体１１に監視カメラ１９を設ければ、空間内を監視しやすく、装置の設置状態が美観に優れているとともに、設置も簡素化される。
【００３４】
そして、消火装置１０は、監視カメラ１９が設けられる筐体１１の一面が、底面であり、壁面Ｈからの露出面１８であるものである。筐体１１が壁面Ｈから若干露出され、露出面１８に監視カメラ１９が設けられるので、放水ノズル１２の放水動作等の邪魔とならず、また空間内を監視しやすい。
【００３５】
また、消火装置１０は、筐体１１内に走査式の赤外線リニアセンサ１３または放水ノズル１２等を内蔵し、必要に応じて回動部１７によって方向制御するものであって、筐体１１が壁面Ｈに設置されるとともに、回動部１７によって一体的に方向制御される監視カメラ１９が設けられているものである。放水ノズル１２等のための回動部１７を利用して監視カメラ１９の向きを変えることができ、固定式の監視カメラを用いることができる。
【図面の簡単な説明】
【００３６】
【図１】実施形態１の防災装置の外観図。
【図２】図１の底面図。
【図３】図１の構成図。
【図４】図３と別角度の図１の構成図。
【図５】図１の防災装置を用いるシステム系統図。
【符号の説明】
【００３７】
１０  消火装置
１１  筐体
１２  放水ノズル
１９  監視カメラ
【図１】
2006305173.tif 000003
【図２】
2006305173.tif 000004
【図３】
2006305173.tif 000005
【図４】
2006305173.tif 000006
【図５】
2006305173.tif 000007